(57)【要約】【課題】  デインタレーシング作業のために正確な２：２プルダウンシーケンスを認識することのできる２：２プルダウンシーケンスの判別装置およびその判別方法を提供する。【解決手段】  本発明に係る２：２プルダウンシーケンス判別装置は、入力される映像信号に対して順次にフィールド間のＳＡＤを計算し、ＳＡＤに基づいて２：２プルダウンイメージを検出するメイン検出部と、ＳＡＤ間の絶対変化量を計算し絶対変化量に基づいて２：２プルダウンイメージを検出するサブ検出部と、ＳＡＤと絶対変化量に基づいて入力される映像信号が静止画像であるかを判断する静止画像判断部と、メイン検出部とサブ検出部による２：２プルダウンイメージの検出結果と静止画像判断部による静止画像判断結果とを組み合わせて映像信号が２：２プルダウンシーケンスであるかを決める２：２プルダウンシーケンス決定部と、を含む。【選択図】  図２
2005045803.tif 000002
【特許請求の範囲】
【請求項１】
入力される映像信号に対して順次にフィールド間のＳＡＤ（Summed  Absolute  Difference）を計算し、計算された前記ＳＡＤに基づいて２：２プルダウンイメージを検出するメイン検出部と、
計算された前記ＳＡＤ間の絶対変化量を計算し、計算された前記絶対変化量に基づいて２：２プルダウンイメージを検出するサブ検出部と、
計算された前記ＳＡＤと前記絶対変化量に基づいて入力される前記映像信号が静止画像であるかを判断する静止画像判断部と、
前記メイン検出部と前記サブ検出部による２：２プルダウンイメージの検出結果と前記静止画像判断部による静止画像判断結果とを組み合わせて前記映像信号が２：２プルダウンシーケンスであるかを決める２：２プルダウンシーケンス決定部と、
を含むことを特徴とする２：２プルダウンシーケンスの判別装置。
【請求項２】
前記メイン検出部は、
前記映像信号の順次的なフィールド間の前記ＳＡＤを計算するＳＡＤ計算部と、
計算された前記ＳＡＤを順次格納するＳＡＤ格納部と、
格納された前記ＳＡＤに基づいて第１のしきい値を算出する第１のしきい値算出部と、
算出された前記第１のしきい値に応じて前記ＳＡＤのパターンを発生させる第１のパターン発生部と、
前記第１のパターン発生部から発生された前記ＳＡＤのパターンを順次格納する第１のパターン格納部と、
前記第１のパターン格納部に格納された前記ＳＡＤのパターンと予め設定された前記ＳＡＤの基本パターンとを比較する第１のパターン比較部と、を含み、
前記第１のパターン比較部によって比較された結果に基づいて２：２プルダウンイメージを検出することを特徴とする請求項１に記載の２：２プルダウンシーケンスの判別装置。
【請求項３】
前記第１のしきい値算出部は、
前記ＳＡＤ格納部に格納された前記ＳＡＤのうち所定の区間について最小値を検出する第１の最小値検出部と、
前記所定の区間に対する最大値を検出する第１の最大値検出部と、を含み、
検出された前記最小値と前記最大値に基づいて前記第１のしきい値を算出することを特徴とする請求項２に記載の２：２プルダウンシーケンスの判別装置。
【請求項４】
前記第１のしきい値算出部は、次式により前記第１のしきい値を算出することを特徴とする請求項３に記載の２：２プルダウンシーケンスの判別装置。
T1 ＝ a × MIN ＋ b × MAX
（但し、T1は前記第１のしきい値、ａおよびｂは任意の値であってａ＋ｂ＝１、ＭＩＮは前記所定区間のＳＡＤ値に対する最小値、ＭＡＸは前記所定区間のＳＡＤに対する最大値とする。）
【請求項５】
前記サブ検出部は、
計算されたＳＡＤ間の絶対変化量を計算する絶対変化量計算部と、
計算された前記絶対変化量を順次格納する絶対変化量格納部と、
格納された前記絶対変化量に基づいて第２のしきい値を算出する第２のしきい値算出部と、
算出された前記第２のしきい値に応じて前記絶対変化量のパターンを発生させる第２のパターン発生部と、
前記第２のパターン発生部から発生された前記絶対変化量のパターンを順次格納する第２のパターン格納部と、
前記第２のパターン格納部に格納された前記絶対変化量のパターンと予め設定された前記絶対変化量の基本パターンとを比較する第２のパターン比較部と、を含み、
前記第２のパターン比較部により比較された結果に基づいて２：２プルダウンイメージを検出することを特徴とする請求項４に記載の２：２プルダウンシーケンスの判別装置。
【請求項６】
前記第２のしきい値算出部は、
前記絶対変化量格納部に格納された前記絶対変化量のうち所定区間について最小値を検出する第２の最小値検出部と、
格納された前記絶対変化量のうち前記所定の区間について最大値を検出する第２の最大値検出部と、を含み、
検出された前記最小値と前記最大値に基づいて前記第２のしきい値を算出することを特徴とする請求項５に記載の２：２プルダウンシーケンスの判別装置。
【請求項７】
前記第２のしきい値算出部は、次式により前記第２のしきい値を算出することを特徴とする請求項６に記載の２：２プルダウンシーケンスの判別装置。
T2 ＝ a’× MIN’＋ b’× MAX’
（但し、T2は前記第２のしきい値、ａ’およびｂ’は任意の値であってａ’＋ｂ’＝１、ＭＩＮ’は前記所定区間の絶対変化量に対する最小値、ＭＡＸ’は前記所定区間の絶対変化量に対する最大値とする。）
【請求項８】
前記静止画像判断部は、前記第１のパターン格納部に格納された前記ＳＡＤのパターンおよび前記第２のパターン格納部に格納された前記絶対変化量のパターンに応じて前記映像信号が静止画像であるかを判断することを特徴とする請求項７に記載の２：２プルダウンシーケンスの判別装置。
【請求項９】
入力される映像信号に対して順次にフィールド間のＳＡＤを計算し、計算された前記ＳＡＤに基づいて２：２プルダウンイメージを検出するメイン検出ステップと、
計算された前記ＳＡＤ間の絶対変化量を計算し、計算された前記絶対変化量に基づいて２：２プルダウンイメージを検出するサブ検出ステップと、
計算された前記ＳＡＤおよび前記絶対変化量に基づいて入力される前記映像信号が静止画像であるかを判断するステップと、
前記メイン検出ステップと前記サブ検出ステップによる２：２プルダウンイメージの検出結果と前記静止画像判断ステップによる静止画像判断結果とを組み合わせて前記映像信号が２：２プルダウンシーケンスであるか決めるステップと、
を含むことを特徴とする２：２プルダウンシーケンスの判別方法。
【請求項１０】
前記メイン検出ステップは、
計算された前記ＳＡＤをＳＡＤ格納部に順次格納するステップと、
順次格納された前記ＳＡＤに基づいて第１のしきい値を算出するステップと、
算出された前記第１のしきい値に応じて前記ＳＡＤのパターンを発生するステップと、
発生された前記ＳＡＤのパターンを第１のパターン格納部に順次格納するステップと、
格納された前記ＳＡＤのパターンと予め設定された前記ＳＡＤの基本パターンとを比較するステップと、を含み、
前記ＳＡＤパターン比較ステップによって比較された結果に基づいて２：２プルダウンイメージを検出することを特徴とする請求項９に記載の２：２プルダウンシーケンスの判別方法。
【請求項１１】
前記第１のしきい値算出ステップは、
前記ＳＡＤ格納部に格納された前記ＳＡＤのうち所定の区間について第１の最小値を検出するステップと、
前記所定区間の前記ＳＡＤに対する第１の最大値を検出するステップと、を含み、
検出された前記第１の最小値と前記第１の最大値に基づいて前記第１のしきい値を算出することを特徴とする請求項１０に記載の２：２プルダウンシーケンスの判別方法。
【請求項１２】
前記第１のしきい値算出ステップは、次式により前記第１のしきい値を算出することを特徴とする請求項１１に記載の２：２プルダウンシーケンスの判別方法。
T1 ＝ a × MIN ＋ b × MAX
（但し、T1は前記第１のしきい値、ａおよびｂは任意の値であってａ＋ｂ＝１、ＭＩＮは前記所定区間の前記ＳＡＤに対する最小値、ＭＡＸは前記所定区間のＳＡＤに対する最大値とする。）
【請求項１３】
前記サブ検出ステップは、
計算された前記絶対変化量を絶対変化量格納部に順次格納するステップと、
格納された前記絶対変化量に基づいて第２のしきい値を算出するステップと、
算出された前記第２のしきい値に応じて前記絶対変化量のパターンを発生するステップと、
前記第２のパターン発生部から発生された前記絶対変化量のパターンを順次格納するステップと、
前記第２のパターン格納部に格納された前記絶対変化量のパターンと予め設定された前記絶対変化量の基本パターンとを比較するステップと、を含み、
前記絶対変化量パターンの比較ステップによって比較された結果に基づいて２：２プルダウンイメージを検出することを特徴とする請求項１２に記載の２：２プルダウンシーケンスの判別方法。
【請求項１４】
前記第２のしきい値算出ステップは、
前記絶対変化量格納部に格納された前記絶対変化量のうち所定区間について最小値を検出する第２の最小値検出ステップと、
格納された前記所定区間の絶対変化量に対する最大値を検出する第２の最大値検出ステップと、を含み、
検出された前記最小値と前記最大値に基づいて前記第２のしきい値を算出することを特徴とする請求項５に記載の２：２プルダウンシーケンスの判別方法。
【請求項１５】
前記第２のしきい値算出ステップは、次式により前記第２のしきい値を算出することを特徴とする請求項１４に記載の２：２プルダウンシーケンスの判別方法。
T2 ＝ a’× MIN’＋ b’× MAX’
（但し、T2は前記第２のしきい値、ａ’およびｂ’は任意の値であってａ’＋ｂ’＝１、ＭＩＮ’は前記所定区間の絶対変化量に対する最小値、ＭＡＸ’は前記所定区間の絶対変化量に対する最大値とする。）
【請求項１６】
前記静止画像検出ステップは、前記第１のパターン格納部に格納された前記ＳＡＤのパターンおよび前記第２のパターン格納部に格納された前記絶対変化量のパターンに基づいて前記映像信号が静止画像であるかを判断することを特徴とする請求項１５に記載の２：２プルダウンシーケンスの判別方法。
【発明の詳細な説明】
【技術分野】
【０００１】
本発明は、映像信号の２：２プルダウンシーケンスの判別装置およびその判別方法に関し、特に、入力された映像信号が２：２プルダウンされたイメージシーケンスであるかを判別して、映像信号の正確な復元を実行させる２：２プルダウンシーケンスの判別装置およびその判別方法に関する。
【背景技術】
【０００２】
人の視覚は、秒当たり１６枚以上の画面を見ると連続している映像のように感じる。即ち、動画においては、秒当たり１６枚が情報を保存しつつ信号を見本化するための最小のサンプリング周波数（Nyquist周波数）をなしている。これを考えて映画は秒当たり２４枚の速度で、ＴＶは秒当たり２５枚もしくは３０枚の速度で映像を処理する。
映画は１つ１つの画面を瞬間的にフィルムにして格納し、画面単位で一瞬にスクリーンへ写すプログレシブ（progressive）方式を用いる。一方、TVは、電波を介して映像を転送すべきなので画面ごとに数百個の走査線を走査して撮影および転送し、ブラウン管にても走査により映像をディスプレーする。アメリカ、日本、韓国などで採択しているＮＴＳＣ（National  Television  System  Committee）カラーＴＶ方式は、画面当たり５２５ラインの走査線に秒当たり３０枚を、ヨーロッパなどで採択しているＰＡＬ（Phase  Alternation  Line）方式やＳＥＣＡＭ（Sequential  Couleur  ａ  Memoire）方式は６２５ラインに秒当たり２５枚を転送する。
【０００３】
さらに、ＴＶにおいて限られた走査線を用いてより効果的に動画を示すための１つの画面（フレーム）を再び２つのフィールドに分けて交代に走査する、いわゆる隔行（interlaced）走査方法を用いる。この際、分けられたそれぞれのフィールドは、トップフィールド（top  field）/ボトムフィールド（bottom  field）、奇数フィールド（odd  field）/偶数フィールド（even  field）、上位フィールド（upper  field）/下位フィールド（lower  field）などのように呼ばれる。尚、ＮＴＳＣ方式は秒当たり６０フィールドで、ＰＡＬやＳＥＣＡＭ方式は秒当たり５０フィールドでその映像を処理する。
【０００４】
映画をＴＶに放映する際には、テレシネ（テレビとシネマの合成語）という変換機を介して映画フィルムの一枚一枚を走査して転送する。この際、ＰＡＬやＳＥＣＡＭ方式のＴＶに転送する場合、２５画面（フレーム）から５０フィールドが必要とされるので、それぞれのフレームについて２フィールドを得ることになる。このように、各フレームについて２フィールドを走査する方法を「２：２プルダウン方式」という。
ＰＡＬやＳＥＣＡＭ方式のＴＶは、転送された各フィールドを再びプログレシブ方式に復元するため２：２プルダウン作業を逆行しなければならない。このようなデインタレーシング（de−interlacing）作業において最も肝心なのは２：２プルダウンシーケンスを正しく認識するかにかかっている。
【発明の開示】
【発明が解決しようとする課題】
【０００５】
本発明は前述した問題点を解決するために案出されたもので、本発明の目的は、デインタレーシング作業のために正確な２：２プルダウンシーケンスを認識することのできる２：２プルダウンシーケンスの判別装置およびその判別方法を提供することにある。
【課題を解決するための手段】
【０００６】
前述した技術的な見地を解決するための、本発明に係る２：２プルダウンシーケンスの判別装置は、入力される映像信号に対して順次にフィールド間のＳＡＤを計算し、前記ＳＡＤに基づいて２：２プルダウンイメージを検出するメイン検出部と、計算された前記ＳＡＤ間の絶対変化量を計算し、前記絶対変化量に基づいて２：２プルダウンイメージを検出するサブ検出部と、計算された前記ＳＡＤと前記絶対変化量に基づいて入力される前記映像信号が静止画像であるかを判断する静止画像判断部と、前記メイン検出部と前記サブ検出部による２：２プルダウンイメージの検出結果と前記映像信号による静止画像判断結果とを組み合わせて前記映像信号が２：２プルダウンシーケンスであるかを決める２：２プルダウンシーケンス決定部と、を含む。
【０００７】
好ましくは、前記メイン検出部は、前記映像信号の順次的なフィールド間の前記ＳＡＤを計算するＳＡＤ計算部と、計算された前記ＳＡＤを順次格納するＳＡＤ格納部と、格納された前記ＳＡＤに基づいて第１のしきい値を算出する第１のしきい値算出部と、算出された前記第１のしきい値に応じて前記ＳＡＤのパターンを発生させる第１のパターン発生部と、前記第１のパターン発生部から発生された前記ＳＡＤのパターンを順次格納する第１のパターン格納部と、前記第１のパターン格納部に格納された前記ＳＡＤのパターンと予め設定された前記ＳＡＤの基本パターンとを比較する第１のパターン比較部と、を含む。前記メイン検出部は、前記第１のパターン比較部によって比較された結果に基づいて２：２プルダウンイメージを検出する。尚、前記第１のしきい値算出部は、前記ＳＡＤ格納部に格納された前記ＳＡＤのうち所定区間について最小値を検出する第１の最小値検出部と、前記所定の区間に対する最大値を検出する第１の最大値検出部と、を含むことが好ましい。前記第１のしきい値算出部は、検出された前記最小値と前記最大値に基づいて前記第１のしきい値を算出する。このとき、前記第１のしきい値算出部は、次式により前記第１のしきい値を算出する。
【０００８】
T1 ＝ a × MIN ＋ b × MAX
【０００９】
尚、T1は前記第１のしきい値、ａおよびｂは任意の値であってａ＋ｂ＝１、ＭＩＮは前記所定区間のＳＡＤ値に対する最小値、ＭＡＸは前記所定区間のＳＡＤに対する最大値である。
【００１０】
また、前記サブ検出部は、計算されたＳＡＤ間の絶対変化量を計算する絶対変化量計算部と、計算された前記絶対変化量を順次格納する絶対変化量格納部と、格納された前記絶対変化量に基づいて第２のしきい値を算出する第２のしきい値算出部と、算出された前記第２のしきい値に応じて前記絶対変化量のパターンを発生させる第２のパターン発生部と、前記第２のパターン発生部から発生された前記絶対変化量のパターンを順次格納する第２のパターン格納部と、前記第２のパターン格納部に格納された前記絶対変化量のパターンと予め設定された前記絶対変化量の基本パターンとを比較する第２のパターン比較部を含む。前記サブ検出部は、前記第２のパターン比較部により比較された結果に基づいて２：２プルダウンイメージを検出する。尚、前記第２のしきい値算出部は、前記絶対変化量格納部に格納された前記絶対変化量のうち所定の区間に対する最小値を検出する第２の最小値検出部と、格納された前記絶対変化量のうち前記所定区間に対する最大値を検出する第２の最大値検出部と、を含む。前記第２のしきい値算出部は、検出された前記最小値と前記最大値に基づいて前記第２のしきい値を算出する。このとき、前記第２のしきい値算出部は、次式により前記第２のしきい値を算出する。
【００１１】
T2 ＝ a’× MIN’＋ b’× MAX’
【００１２】
尚、T2は前記第２のしきい値、ａ’およびｂ’は任意の値であってａ’＋ｂ’＝１、ＭＩＮ’は前記所定区間の絶対変化量に対する最小値、ＭＡＸ’は前記所定区間の絶対変化量に対する最大値である。
ここで、前記静止画像判断部は、前記第１のパターン格納部に格納された前記ＳＡＤのパターンおよび前記第２のパターン格納部に格納された前記絶対変化量のパターンに応じて前記映像信号が静止画像であるかを判断する。
【００１３】
一方、本発明に係る２：２プルダウンイメージシーケンスの判別装置は、入力される映像信号に対して順次にフィールド間のＳＡＤを計算し、計算された前記ＳＡＤに基づいて２：２プルダウンイメージを検出するメイン検出ステップと、前記ＳＡＤ間の絶対変化量を計算し、計算された前記絶対変化量に基づいて２：２プルダウンイメージを検出するサブ検出ステップと、前記ＳＡＤおよび前記絶対変化量に基づいて入力される前記映像信号が静止画像であるかを判断するステップと、前記メイン検出ステップと前記サブ検出ステップによる２：２プルダウンイメージの検出結果と前記映像信号による静止画像判断結果とを組み合わせて前記映像信号が２：２プルダウンシーケンスであるか決めるステップと、を含む２：２プルダウンシーケンスの判別方法を提供する。
これによって本発明に係る２：２プルダウンシーケンス判別装置は入力される映像信号に対して正しい２：２プルダウンイメージを検出することができる。
【発明の効果】
【００１４】
本発明に係る２：２プルダウンシーケンス判別装置は、メイン検出部およびサブ検出部による２：２プルダウンイメージの検出を行い、ノイズが多い場合もしきい値を変化させて適応的に対応するため、正確な２：２プルダウンイメージの検出を可能にする。また、２：２プルダウンシーケンス判別装置は２：２プルダウンイメージフラグのオン/オフがしきりに転換されることによって生じられる画面の不自然さを抑えることができる。
【発明を実施するための最良の形態】
【００１５】
以下、添付の図面を参照して本発明の好適な実施例を詳述する。
［実施例］
図１は、２：２プルダウンの過程を説明するために示された図である。同図を参照すると、２：２プルダウン方式は、１つのフレームについて２個のフィールドが走査される。映画の１フレームは、奇数ラインからなるトップフィールドおよび偶数ラインからなるボトムフィールドから構成される。同図におけるフレーム１のトップフィールドはＴ1、ボトムフィールドはＢ１であり、フレーム２のトップフィールドはＴ２、ボトムフィールドはＢ２のように示した。
【００１６】
図２は本発明に係る２：２プルダウンシーケンスの判別装置を概略的に示したブロック図である。同図を参照すると、２：２プルダウンシーケンス判別装置は、メイン検出部３００、サブ検出部３５０、静止画像判断部３８０、および２：２プルダウンシーケンス決定部３９０を備える。
メイン検出部３００は、入力される映像信号について順次にフィールド間のＳＡＤを計算し、計算されたＳＡＤに基づいて２：２プルダウンイメージを検出する。サブ検出部３５０は、計算されたＳＡＤ間の絶対変化量を計算し、計算された絶対変化量に基づいて２：２プルダウンイメージを検出する。静止画像判断部３８０は、計算されたＳＡＤおよびＳＡＤ間の絶対変化量に基づいて入力される映像信号が静止画像であるかを判断する。２：２プルダウンシーケンス決定部３９０は、メイン検出部３００およびサブ検出部３５０による２：２プルダウンイメージ検出結果、および静止画像判断部３８０による静止画像判断結果を組み合わせて映像信号の２：２プルダウンシーケンス可否を決定する。
【００１７】
一方、メイン検出部３００は、ＳＡＤ計算部３０３、ＳＡＤ格納部３０５、第１のしきい値算出部３０７、第１のパターン発生部３０９、第１のパターン格納部３１１、第１のパターン比較部３１３を備える。
ＳＡＤ計算部３０３は、映像信号の順次的なフィールド間のＳＡＤを計算する。ＳＡＤ格納部３０５は、ＳＡＤ計算部３０３によって計算されたＳＡＤを順次に格納する。計算されたＳＡＤの順次格納のために、ＳＡＤ格納部３０５は所定個の先入力・先出力（ＦＩＦＯ）（First  Input  First  Output）バッファーにより具現される。第１のしきい値算出部３０７は格納されたＳＡＤを用いて第１のしきい値を算出する。第１のパターン発生部３０９は、算出された第１のしきい値に応じてＳＡＤのパターンを発生させる。第１のパターン格納部３１１は、第１のパターン発生部３０９から発生されたＳＡＤのパターンを順次格納する。第１のパターン発生部３０９によって発生されたＳＡＤパターンの順次格納のために、第１のパターン格納部３１１は、所定個の先入力先出力バッファーにより具現される。第１のパターン比較部３１３は、第１のパターン格納部３１１に格納されたＳＡＤのパターンと予め設定されたＳＡＤの基本パターンとを比較する。
【００１８】
また、第１のしきい値算出部３０７は、第１の最小値検出部３０７ａおよび第１の最大値検出部３０７ｂを備える(図３参照)。第１の最小値検出部３０７ａはＳＡＤ格納部３０５に格納されたＳＡＤのうち所定区間のＳＡＤに対する最小値を検出する。さらに、第１の最大値検出部３０７ｂは、所定区間のＳＡＤに対する最大値を算出する。この場合、２：２プルダウンシーケンスは、同じフレームに対する２つのフィールド間のＳＡＤにて最小値が発生し、隣接した２つのフレームに対する順次的なフィールド間のＳＡＤにて最大値が発生するため、第１の最小値検出部３０７ａおよび第１の最大値検出部３０７ｂは、それぞれ離隔されたフィールド間のＳＡＤについて最小値と最大値を検出するように具現されている。尚、第１の最小値検出部３０７ａは、同じフレームに対するフィールド間のＳＡＤを、第１の最大値検出部３０７ｂは隣接したフレームに対するフィールド間のＳＡＤを検出するように具現するのが好ましい。
【００１９】
一方、サブ検出部３５０は、絶対変化量計算部３５３、絶対変化量格納部３５５、第２のしきい値算出部３５７、第２のパターン発生部３５９、第２のパターン格納部３６１、および第２のパターン比較部３６３を備える。絶対変化量計算部３５３は、ＳＡＤ計算部３０３により計算されたＳＡＤ間の絶対変化量を計算する。絶対変化量格納部３５５は、計算された絶対変化量を順次格納する。第２のしきい値算出部３５７は、格納された絶対変化量を用いて第２のしきい値を算出する。第２のパターン発生部３５９は、算出された第２のしきい値に応じて絶対変化量のパターンを発生させる。第２のパターン格納部３６１は、第２のパターン発生部３５９により発生された絶対変化量のパターンを順次格納する。この場合、絶対変化量格納部３５５および第２のパターン格納部３６１は、ＳＡＤ格納部３０５および第１のパターン格納部３１１と同様に先入力先出力バッファーにより具現されることが好ましい。
【００２０】
第２のパターン比較部３６３は、第２のパターン格納部３６１に格納された絶対変化量のパターンと予め設定された絶対変化量の基本パターンとを比較する。さらに、第２のしきい値算出部３５７は、第２の最小値検出部３５７ａ、および第２の最大値検出部３５７ｂを備える（図４参照）。第２の最小値検出部３５７ａは、絶対変化量格納部３５５に格納された絶対変化量のうち所定区間の絶対変化量に対する最小値を検出する。さらに、第２の最大値検出部３５７ｂは所定区間の絶対変化量に対する最大値を算出する。尚、第２のパターン格納部３６１は、第１のパターン格納部３１１に格納されたＳＡＤ間の絶対変化量が順次格納されるように具現することが好ましい。第１のパターン格納部３１１および第２のパターン格納部３６１の関係は図５に示された通りである。
【００２１】
図６は本発明に係る２：２プルダウンシーケンス判別装置による２：２プルダウンシーケンス判別方法を示した流れ図である。同図を参照しながら本発明を詳細する。
メイン検出部３００のＳＡＤ計算部３０３は、入力される映像信号の順次的なフィールド間のＳＡＤを計算する（Ｓ６０１）。つまり、入力される映像信号について以前のフィールドを前フィールド（ｎ−１）、前フィールド（ｎ−１）から順次に来る現フィールド（ｎ）とすると、ＳＡＤ計算部３０３は現フィールド（ｎ）と前フィールド（ｎー１）との間の画素値の差を計算して順次にフィールド間のＳＡＤ値を計算する。
メイン検出部３００は、計算されたＳＡＤに基づいて入力される映像信号が２：２プルダウンイメージであるかを検出する（Ｓ６０３）。
【００２２】
図７には、メイン検出部３００による２：２プルダウンシーケンス検出過程が図示されている。
同図を参照すると、ＳＡＤ格納部３０５は、ＳＡＤ計算部３０３により計算されたＳＡＤを順次格納する（Ｓ７０１）。第１のしきい値算出部３０７の第１の最小値検出部３０７ａは、ＳＡＤ格納部３０５に格納されたＳＡＤのうち所定区間のＳＡＤに対する最小値を検出する（Ｓ７０３）。第１のしきい値算出部３０７の第１の最大値検出部３０７ｂはＳＡＤ格納部３０５に格納されたＳＡＤのうち所定区間のＳＡＤに対する最大値を検出する（Ｓ７０５）。この場合、同じフレームに対するフィールド間のＳＡＤは小さい値を有するのが一般的であって、第１の最小値検出部３０７ａは２周期に1回、同じフレームに対するフィールド間のＳＡＤのみを検索して最小値を検出することもできる。また、隣接のフレームに対するフィールド間のＳＡＤは変化するのが一般的で、第１の最大値検出部３０７ｂは、２周期に１回隣接のフレームに対するフィールド間のＳＡＤのみを検索して最大値を検出する。
【００２３】
第１のしきい値算出部３０７は、第１の最小値検出部３０７ａおよび第１の最大値検出部３０７ｂにより検出されたＳＡＤに対する最小値および最大値に基づいて第１のしきい値を算出し（Ｓ７０７）、第１のしきい値算出に対する式は次式の通りである。
【００２４】
［数１］
T1 ＝ a × MIN ＋ b × MAX
【００２５】
尚、T1は前記第１のしきい値、ａおよびｂは任意の値であってａ＋ｂ＝１、ＭＩＮは所定区間のＳＡＤに対する最小値、MAXは前記所定区間のＳＡＤに対する最大値である。
【００２６】
第１のパターン発生部３０９は、第１のしきい値算出部３０７によって算出された第１のしきい値に応じてＳＡＤ格納部３０５に格納されたＳＡＤのパターンを発生させる（Ｓ７０９）。この場合、第１のパターン発生部３０９は、ＳＡＤと算出部３０７により算出された第１のしきい値とを比較して、ＳＡＤが第１のしきい値より大きい場合には「１」を発生させ、その他の場合には「０」を発生させるように具現される。
【００２７】
第１のパターン格納部３１１は、第１のパターン発生部３０９によって発生されたＳＡＤのパターンを順次格納する（Ｓ７１１）。第１のパターン比較部３１３は、第１のパターン格納部３１１に格納されたＳＡＤのパターンと予め設定されたＳＡＤの基本パターンとを比較する（Ｓ７１３）。尚、ＳＡＤの基本パターンは２：２プルダウンイメージのＳＡＤに対する基本パターンであり、２つの形態で示される。つまり、ＳＡＤの基本パターンは「０１０１０１０１０１、１０１０１０１０１０」になる。メイン検出部３００は、第１のパターン比較部３１３により比較された結果に基づいて２：２プルダウンイメージを検出する（Ｓ７１５）。係る２：２プルダウンイメージ検出過程は、入力される映像信号に対して繰り返して行われる。また、画面が急激に変換される場合には適応的にしきい値を変更して２：２プルダウンイメージを検出するので、変化された画面に適切の対応をすることができる。
【００２８】
再び図６に戻って詳説する。サブ検出部３５０の絶対変化量計算部３５３は、ＳＡＤ計算部３０３によって計算されたＳＡＤ間の絶対変化量を計算する（Ｓ６０５）。つまり、前フィールド（ｎ−１）と現フィールド（ｎ）間の画素値の差をＳＡＤ１とし、現フィールドと順次に続く次フィールド(ｎ＋１)間の画素値の差をＳＡＤ２とすると、絶対変化量計算部３５３は、ＳＡＤ１とＳＡＤ２との絶対値の差、即ち、絶対変化量を計算する。サブ検出部３５０は、絶対変化量計算部３５３により計算された絶対変化量に基づいて入力される映像信号が２：２プルダウンイメージであるかを検出する（Ｓ６０７）。サブ検出部３５０による２：２プルダウンイメージ検出過程は図８に示されている。
【００２９】
図８を参照すると、絶対変化量格納部３５５は、絶対変化量計算部３５３により計算された絶対変化量を順次格納する（Ｓ８０１）。この場合のＳＡＤおよび絶対変化量が図９に示されている。第２のしきい値算出部３５７の第２の最小検出部３５７ａは、絶対変化量格納部３５５に格納された絶対変化量のうち所定区間の絶対変化量に対する最小値を検出する（Ｓ８０３）。第２のしきい値算出部３５７の第２の最大値検出部３５７ｂは、絶対変化量格納部３５５に格納された絶対変化量のうち所定区間の絶対変化量に対する最大値を検出する（Ｓ８０５）。
第２のしきい値算出部３５７は、第２の最小値検出部３５７ａおよび第２の最大値検出部３５７ｂにより検出された絶対変化量に対する最小値および最大値に基づいて第２のしきい値を算出し（Ｓ８０７）、第２のしきい値算出に対する式は次の通りである。
【００３０】
［数２］
T2 ＝ a’× MIN’＋ b’× MAX’
【００３１】
尚、T2は前記第２のしきい値、ａ’およびｂ’は任意の値であって、ａ’＋ｂ’＝１、ＭＩＮ’は所定区間の絶対変化量に対する最小値、ＭＡＸ’は前記所定区間の絶対変化量に対する最大値である
【００３２】
第２のパターン発生部３５９は、第２のしきい値算出部３５７により算出された第２のしきい値に応じて絶対変化量格納部３５５に格納された絶対変化量のパターンを発生させる（Ｓ８０９）。この場合、第２のパターン発生部３５９は、絶対変化量と第２のしきい値算出部３５７により算出された第２のしきい値とを比較して、絶対変化量が大きい場合「１」を発生させ、その他の場合には「０」を発生させる。図面において「１」の代わりに「＋」を示し、「０」の代わりに「−」を示した。
第２のパターン格納部３６１は、第２のパターン発生部３５９によって発生された絶対変化量のパターンを順次格納する（Ｓ８１１）。第２のパターン比較部３６３は、第２の格納部３６１に格納された絶対変化量のパターンと予め設定された絶対変化量の基本パターンとを比較する（Ｓ８１３）。ここで、絶対変化量の基本パターンは、２：２プルダウンイメージの絶対変化量に対する基本パターンを指しており、２つの形態で示すことができる。即ち、絶対変化量の基本パターンは、「−＋−＋−＋−＋−＋、＋−＋−＋−＋−＋−」となる。絶対変化量の基本パターンについては図１０に示されている。
サブ検出部３５０は、第２のパターン比較部３６３により比較された結果に基づいて２：２プルダウンイメージを検出する（Ｓ８１５）。
【００３３】
再び、図６に戻って、静止画像判断部３８０は、ＳＡＤおよび絶対変化量に基づいて入力される映像信号が静止画像であるかを判断する（Ｓ６０９）。例えば、現在計算されたＳＡＤと１つのフィールド以前に計算されたＳＡＤがそれ以前のＳＡＤに比べて小さく、現在計算されたＳＡＤと１つのフィールド以前に計算されたＳＡＤとの間の絶対変化量が以前の絶対変化量に比べて小さければ、入力される現在の映像信号は静止画像に近い。この場合、第１のパターン格納部３１１および第２のパターン格納部３６１に格納されたＳＡＤのパターンおよび絶対変化量のパターンは次の通りである。
【００３４】
ＳＡＤ＿pattern[ｎ]＝０
ＳＡＤ＿pattern[ｎ＋１]＝０
｜△ＳＡＤ｜_pattern[ｎ−１]＝０
【００３５】
２：２プルダウンシーケンス決定部３９０は、メイン検出部３００およびサブ検出部３５０による２：２プルダウンイメージの検出の結果、静止画像判断部３８０による静止画像の判断結果を組み合わせて、映像信号が２：２プルダウンシーケンスであるかを決定する(Ｓ６１１)。この際、静止画像判断部３８０により入力される映像信号が静止画像であると判断されれば、現在のＳＡＤのパターンおよび絶対変化量のパターンは２：２プルダウンイメージでないと判断される。しかし、前の２：２プルダウンイメージフラグ（flag）はそのまま維持される。２：２プルダウンシーケンス決定部３９０による２：２プルダウンシーケンス決定に関するいくつかの例が表１に示されている。
【００３６】
【表１】
2005045803.tif 000003
【００３７】
２：２プルダウンシーケンス決定部３９０は、メイン検出部３００およびサブ検出部３５０による結果と前フラグに応じて２：２プルダウンイメージを出力する。例えば、前フラグが「０」であり、入力された映像信号に対するカウント値が所定値εより小さい場合、即ち、メイン検出部３００およびサブ検出部３５０により検出された２：２プルダウンイメージが所定時間続かなければ、２：２プルダウンシーケンス決定部３９０は静止フラグとは関係なく、前フラグをそのまま維持して「０」を出力する。前フラグが「０」であり、入力された映像信号に対するカウント値が所定値εに至った場合、メイン検出部３００およびサブ検出部３５０が２：２プルダウンイメージを検出すると、２：２プルダウンシーケンス決定部３９０は、静止フラグとは関係なしに前フラグを反転して「１」を出力する。尚、前フラグが「０」であるというのは、前映像信号に対して２：２プルダウンイメージが決定されていないことを意味する。
【００３８】
前フラグが「１」である場合、つまり、前映像信号について２：２プルダウンイメージが決められた場合には、２：２プルダウンシーケンス決定部３９０はカウント値とは関係なしに２：２プルダウンシーケンスを決定する。即ち、前フラグが「１」である場合について、メイン検出部３００およびサブ検出部３５０により２：２プルダウンイメージが検出される。静止画像判断部３８０により静止画像でないと判断されれば、２：２プルダウンシーケンス決定部３９０は入力される映像信号が２：２プルダウンシーケンスであると決定する。さらに、メイン検出部３００により２：２プルダウンイメージが検出されたものの、サブ検出部３５０によっては２：２プルダウンイメージが検出されなかった場合にも静止フラグが「０」である場合、即ち、静止画像判断部３８０によって静止画像でないと判断されれば、２：２プルダウンシーケンス決定部３９０は入力される映像信号を２：２プルダウンシーケンスであると決定する。
【００３９】
しかし、前フラグが「１」である場合について静止フラグが「１」であれば、２：２プルダウンシーケンス決定部３９０は、メイン検出部３００およびサブ検出部３５０の２：２プルダウンシーケンスの検出有無と関係なしに、前フラグを維持して入力される映像信号を２：２プルダウンシーケンスであると決定する。これは頻繁な２：２プルダウンイメージフラグのオン/オフによる画質の不自然さを抑えるためのもので、２：２プルダウンイメージ信号が入力された後２：２プルダウンイメージでない静止画像が入力された場合、静止画像について２：２プルダウンイメージと同じ処理を行ったとしても悪影響がない点を利用したのである。
【００４０】
よって、本発明に係る２：２プルダウンシーケンス判別装置は、ＳＡＤおよび絶対変化量を用いて２：２プルダウンイメージを検出することによって正しい２：２プルダウンイメージの検出が可能となる。さらに２：２プルダウンシーケンス判別装置は、２：２プルダウンイメージフラグのオン/オフの転換回数を減らすことで、画質の不自然さを抑えることができる。
以上、図面を参照して本発明の好適な実施形態を図示および説明してきたが本発明の保護範囲は、前述の実施形態に限定するものではなく、特許請求の範囲に記載された発明とその均等物にまで及ぶものである。
【産業上の利用可能性】
【００４１】
ＰＡＬやＳＥＣＡＭ方式のＴＶにおいて正確な２：２プルダウンシーケンスを認識することのできる２：２プルダウンシーケンス判別装置およびその判別方法を提供してデインタレーシング作業が行われる。
【図面の簡単な説明】
【００４２】
【図１】２：２プルダウン過程を説明するための図である。
【図２】本発明に係る２：２プルダウンシーケンスの判別装置を概略的に示したブロック図である。
【図３】図２の第１のしきい値算出部を概略的に示したブロック図である。
【図４】図２の第２のしきい値算出部を概略的に示したブロック図である。
【図５】ＳＡＤパターン格納部および絶対変化量パターン格納部の係わりを説明するための図である。
【図６】図２に係る２：２プルダウンシーケンスの判別方法を示した流れ図である。
【図７】図６のメイン検出部による２：２プルダウンイメージ検出過程を示した流れ図である。
【図８】図６のサブ検出部に係る２：２プルダウンイメージ検出過程を示した流れ図である。
【図９】図６のＳＡＤおよび絶対変化量を示した図である。
【図１０】ＳＡＤパターンおよび絶対変化量パタンの一例を示した図である。
【符号の説明】
【００４３】
３００  メイン検出部
３０３  ＳＡＤ計算部
３０５  ＳＡＤ格納部
３０７  第１のしきい値算出部
３０９  第１のパターン発生部
３１１  第１のパターン格納部
３１３  第１のパターン比較部
３５０  サブ検出部
３５３  絶対変化量計算部
３５５  絶対変化量格納部
３５７  第２のしきい値算出部
３５９  第２のパターン発生部
３６１  第２のパターン格納部
３６３  第２のパターン比較部
３８０  静止画像判断部
３９０  ２：２プルダウンシーケンス決定部
【図１】
2005045803.tif 000004
【図２】
2005045803.tif 000005
【図３】
2005045803.tif 000006
【図４】
2005045803.tif 000007
【図５】
2005045803.tif 000008
【図６】
2005045803.tif 000009
【図７】
2005045803.tif 000010
【図８】
2005045803.tif 000011
【図９】
2005045803.tif 000012
【図１０】
2005045803.tif 000013